(57)【要約】      （修正有）【課題】電源部を共通化した場合にも、負荷電流を正しく検知可能な電源装置を提供する。【解決手段】電源装置は、交流電圧を出力する圧電トランスＴ１と、圧電トランスＴ１に接続され、圧電トランスＴ１からの交流電圧を整流し、所定の極性の直流電圧を出力する整流回路ＲＥ１、ＲＥ２と、所定の極性とは逆極性の直流電圧を出力する二次転写正電源Ｖ１及びＩＣＬ正電源Ｖ２と、整流回路ＲＥ１の出力電圧と二次転写正電源Ｖ１の出力電圧とが重畳された電圧が供給される二次転写ローラＰ１に流れる電流を検知する電流検知回路ＩＳ１と、整流回路ＲＥ２の出力電圧とＩＣＬ正電源Ｖ２の出力電圧とが重畳された電圧が供給されるＩＣＬブラシＰ２に流れる電流を検知する電流検知回路ＩＳ２と、電流検知回路ＩＳ１に流れる電流と、電流検知回路ＩＳ２に流れる電流とを分離するコンデンサＣ１と、を備える。【選択図】図１
2020048364.tif 000002
【特許請求の範囲】
【請求項１】
交流電圧を出力する第１の電源部と、
前記第１の電源部に接続され、前記第１の電源部から出力される前記交流電圧を整流し、所定の極性の直流電圧を出力する第１の整流部及び第２の整流部と、
前記所定の極性とは逆極性の直流電圧を出力する第２の電源部及び第３の電源部と、
前記第１の整流部の出力電圧と前記第２の電源部の出力電圧とが重畳された電圧が供給される第１の負荷に流れる電流を検知する第１の電流検知部と、
前記第２の整流部の出力電圧と前記第３の電源部の出力電圧とが重畳された電圧が供給される第２の負荷に流れる電流を検知する第２の電流検知部と、
前記第１の電流検知部を流れる電流と、前記第２の電流検知部を流れる電流とを分離する分離部と、
を備える電源装置。
【請求項２】
前記分離部は、前記第１の電源部からの交流電圧が入力される前記第１の整流部の入力端と、前記第１の電源部からの交流電圧が入力される前記第２の整流部の入力端とに直列に接続されたコンデンサであることを特徴とする請求項１に記載の電源装置。
【請求項３】
前記第１の整流部又は前記第２の整流部は、前記第１の整流部又は前記第２の整流部が出力する前記直流電圧を検知する第１の電圧検知部を有し、
前記第２の電源部は、前記第２の電源部が出力する前記直流電圧を検知する第２の電圧検知部を有し、
前記第３の電源部は、前記第３の電源部が出力する前記直流電圧を検知する第３の電圧検知部を有することを特徴とする請求項２に記載の電源装置。
【請求項４】
前記第１の電源部、前記第２の電源部、及び前記第３の電源部の出力電圧を制御する制御部を備え、
前記制御部は、前記第１の電圧検知部、前記第２の電圧検知部、及び前記第３の電圧検知部の検知結果に基づいて、前記第１の電源部、前記第２の電源部、及び前記第３の電源部の出力電圧を制御することを特徴とする請求項３に記載の電源装置。
【請求項５】
前記第２の電圧検知部、及び前記第３の電圧検知部は、正電位の電圧の検知結果を前記制御部に出力することを特徴とする請求項４に記載の電源装置。
【請求項６】
前記制御部は、前記第１の電流検知部及び前記第２の電流検知部の検知結果と、前記第１の電圧検知部、前記第２の電圧検知部、及び前記第３の電圧検知部の検知結果と、に基づいて、前記第１の負荷及び前記第２の負荷のインピーダンスを算出し、算出した前記第１の負荷及び前記第２の負荷のインピーダンスに応じて、前記第１の電源部、前記第２の電源部、及び前記第３の電源部の出力電圧を制御することを特徴とする請求項４又は請求項５に記載の電源装置。
【請求項７】
前記第２の電源部から前記逆極性の直流電圧が出力されず、前記第１の整流部から前記所定の極性の直流電圧が出力されている場合には、前記第１の負荷に所定の電圧を供給する定電圧供給部を備えることを特徴とする請求項６に記載の電源装置。
【請求項８】
前記電圧供給部は、ダイオードとツェナーダイオードとを有することを特徴とする請求項７に記載の電源装置。
【請求項９】
前記制御部は、前記第２の電流検知部の検知結果に基づいて、前記第２の負荷に一定の電流値の電流が供給されるように、前記第１の電源部及び前記第３の電源部を制御することを特徴とする請求項８に記載の電源装置。
【請求項１０】
前記第１の電源部は圧電トランスを有することを特徴とする請求項１から請求項９のいずれか１項に記載の電源装置。
【請求項１１】
前記第１の整流部及び前記第２の整流部は、ダイオードを有することを特徴とする請求項１から請求項１０のいずれか１項に記載の電源装置。
【請求項１２】
画像を形成するための画像形成部と、
前記画像形成部に高電圧を供給する電源装置と、を備え、
前記電源装置は、
交流電圧を出力する第１の電源部と、
前記第１の電源部に接続され、前記第１の電源部から出力される前記交流電圧を整流し、所定の極性の直流電圧を出力する第１の整流部及び第２の整流部と、
前記所定の極性とは逆極性の直流電圧を出力する第２の電源部と、
前記所定の極性とは逆極性の直流電圧を出力する第３の電源部と、
前記第１の整流部の出力電圧と前記第２の電源部の出力電圧とが重畳された電圧が供給される第１の負荷に流れる電流を検知する第１の電流検知部と、
前記第２の整流部の出力電圧と前記第３の電源部の出力電圧とが重畳された電圧が供給される第２の負荷に流れる電流を検知する第２の電流検知部と、
前記第１の電流検知部を流れる電流と、前記第２の電流検知部を流れる電流を分離する分離部と、
を有することを特徴とする画像形成装置。
【請求項１３】
前記画像形成部は、画像を担持する像担持体と、前記像担持体上の画像を記録材に転写する転写部と、前記像担持体をクリーニングするクリーニング部と、を備え、
前記第１の電源部から出力された電圧が前記転写部と前記クリーニング部に供給されることを特徴とする請求項１２に記載の画像形成装置。
【請求項１４】
前記第２の電源部から出力された前記直流電圧は前記転写部に供給され、
前記第３の電源部から出力された前記直流電圧は前記クリーニング部に供給されることを特徴とする請求項１３に記載の画像形成装置。
【請求項１５】
更に、画像が形成される感光ドラムを有し、
前記像担持体は、前記感光ドラムに形成された画像が転写される中間転写ベルトであることを特徴とする請求項１３又は請求項１４に記載の画像形成装置。
【発明の詳細な説明】
【技術分野】
【０００１】
本発明は、電源装置、及び電源装置を備えた画像形成装置に関する。
【背景技術】
【０００２】
電子写真方式を採用する画像形成装置は、各種の高電圧を供給する高電圧電源装置を備えており、高電圧電源装置は、記録材等に対する画像形成プロセスには欠かせない存在となっている。高電圧電源装置としては、例えば帯電装置用の高電圧電源装置、現像装置用の高電圧電源装置、転写装置用の高電圧電源装置等、各種モジュール化された電源装置が存在する。これらモジュール化された高電圧電源装置は、画像形成装置の構成に応じて異なった仕様を有している。例えば転写装置用の高電圧電源装置の場合、画像形成装置のクリーニング動作時には転写ローラに付着したトナーを除去するため、通常の転写時に印加する電圧とは逆極性の電圧を転写ローラに印加する必要がある。一般的に、トナー自体は負極性を有する。そのため、画像形成時には、正極性の高電圧を出力する高電圧電源（以下、「正電源」という）から正電圧を印加することにより、トナー（トナー像）の転写を行う。具体的には、一次転写正電源から一次転写ローラに正電圧を印加することにより、感光ドラム上に形成されたトナー像が中間転写ベルトに転写される。また、二次転写正電源から二次転写ローラに正電圧を印加することにより、中間転写ベルト上のトナー像が記録材に転写される。一方、クリーニングプロセス時には、負極性の高電圧を出力する高電圧電源（以下、「負電源」という）から負電圧を印加することにより、二次転写ローラや中間転写ベルトのクリーニングを行う。すなわち、二次転写負電源から二次転写ローラに負電圧を印加することにより、記録材に転写されずに二次転写ローラ上に残ったトナー（残トナー）を中間転写ベルトへ転写する残トナーの吐き出しが行われる。また、一次転写負電源から一次転写ローラに負電圧を印加することにより、中間転写ベルト上のトナーを感光ドラムに転写し、その後、感光ドラム上のトナーは、廃トナー容器に回収される。
【０００３】
画像形成装置で用いられる高電圧電源装置では、負極性と正極性の高電圧を生成する電源部を有しており、電源装置の小型化のために、同じ極性の電源部を共通化することが従来から行われている（例えば、特許文献１参照）。図７は、中間転写ベルトを有する画像形成装置における、従来の二次転写電源及び中間転写ベルトのクリーニング電源を模式的に示した回路図である。二次転写電源及びクリーニング電源は、それぞれ二次転写ローラＰ１、クリーニングブラシＰ２に正極性、負極性の電圧を供給する電源部である。図７に示す電源装置は、正極性の電圧を供給する二次転写正電源Ｖ１及びクリーニング正電源Ｖ２を有している。更に、図７に示す電源装置は、負極性の電圧を供給する二次転写負電源、及び負極性の電圧を供給するクリーニング負電源の二つの負電源を共通化した二次転写負電源及びＩＣＬ負電源Ｖ３を有している。なお、図７の詳細な説明は後述する。
【先行技術文献】
【特許文献】
【０００４】
【特許文献１】特開２０１３−７８２５２号公報
【発明の概要】
【発明が解決しようとする課題】
【０００５】
図７において、太い実線で示す矢印は、二次転写負電源及びＩＣＬ負電源Ｖ３をオンして二次転写ローラＰ１に負電圧を印加したときに、二次転写ローラＰ１に流れる二次転写負電流の経路を示している。図７に示すように、二次転写ローラＰ１から電源装置に流れる二次転写負電流の一部は、経路１を通って、二次転写電流を検知する電流検知回路ＩＳ１へと流れる。更に、二次転写負電流の一部は、経路２を通って、クリーニングブラシＰ２に流れる電流を検知する電流検知回路ＩＳ２へと流れる。そのため、電流検知回路ＩＳ１、電流検知回路ＩＳ２は、それぞれ二次転写ローラＰ１、クリーニングブラシＰ２を流れる負荷電流を正しく検知することができない。その結果、電源部の共通化を行った電源装置の電源部の電圧及び電流を所望の値に設定する制御ができないという課題がある。
【０００６】
本発明は、このような状況のもとでなされたもので、電源部を共通化した場合にも、負荷電流を正しく検知することを目的とする。
【課題を解決するための手段】
【０００７】
上述した課題を解決するために、本発明では、以下の構成を備える。
【０００８】
（１）交流電圧を出力する第１の電源部と、前記第１の電源部に接続され、前記第１の電源部から出力される前記交流電圧を整流し、所定の極性の直流電圧を出力する第１の整流部及び第２の整流部と、前記所定の極性とは逆極性の直流電圧を出力する第２の電源部及び第３の電源部と、前記第１の整流部の出力電圧と前記第２の電源部の出力電圧とが重畳された電圧が供給される第１の負荷に流れる電流を検知する第１の電流検知部と、前記第２の整流部の出力電圧と前記第３の電源部の出力電圧とが重畳された電圧が供給される第２の負荷に流れる電流を検知する第２の電流検知部と、前記第１の電流検知部を流れる電流と、前記第２の電流検知部を流れる電流とを分離する分離部と、を備える電源装置。
【０００９】
（２）画像を形成するための画像形成部と、前記画像形成部に高電圧を供給する電源装置と、を備え、前記電源装置は、交流電圧を出力する第１の電源部と、前記第１の電源部に接続され、前記第１の電源部から出力される前記交流電圧を整流し、所定の極性の直流電圧を出力する第１の整流部及び第２の整流部と、前記所定の極性とは逆極性の直流電圧を出力する第２の電源部と、前記所定の極性とは逆極性の直流電圧を出力する第３の電源部と、前記第１の整流部の出力電圧と前記第２の電源部の出力電圧とが重畳された電圧が供給される第１の負荷に流れる電流を検知する第１の電流検知部と、前記第２の整流部の出力電圧と前記第３の電源部の出力電圧とが重畳された電圧が供給される第２の負荷に流れる電流を検知する第２の電流検知部と、前記第１の電流検知部を流れる電流と、前記第２の電流検知部を流れる電流を分離する分離部と、を有することを特徴とする画像形成装置。
【発明の効果】
【００１０】
本発明によれば、電源部を共通化した場合にも、負荷電流を正しく検知することができる。
【図面の簡単な説明】
【００１１】
【図１】実施例１の二次転写電源及びＩＣＬ電源の構成を示す回路図
【図２】実施例１と従来例の回路図での二次転写負電流と検知電圧の関係を示す図
【図３】実施例１の正負両極性の電源からの電圧が重畳したときの電流経路を示す図
【図４】実施例１、２の圧電トランスの負荷特性を説明する図
【図５】実施例２の二次転写電源及びＩＣＬ電源の構成を示す回路図
【図６】実施例３の画像形成装置を示す図
【図７】従来例の二次転写電源及びＩＣＬ電源の構成を示す回路図
【発明を実施するための形態】
【００１２】
以下に、図面を参照して本発明の実施の形態について詳細に説明する。
【００１３】
［二次転写電源及びＩＴＢクリーニング電源の概要］
後述する実施例との比較のために、従来の二次転写電源及び中間転写ベルトのクリーニング電源について、以下に説明する。図７は、中間転写ベルト（以下、「ＩＴＢ」という）Ｐ４を有する画像形成装置が備える電源装置の、従来の二次転写電源及びＩＴＢクリーニング（以下、「ＩＣＬ」という）電源を模式的に示した回路図である。二次転写電源及びＩＣＬ電源は、それぞれ正極性、負極性の直流の高電圧を二次転写ローラＰ１、ＩＣＬブラシＰ２に供給する電源である。図１に示す電源装置は、正極性の直流電圧を供給する二次転写正電源（第２の電源部）Ｖ１及びＩＣＬ正電源Ｖ２（第３の電源部）を有している。更に、図１に示す電源装置は、負極性（所定の極性）の直流電圧を供給する二次転写負電源、及び負極性の直流電圧を供給するＩＣＬ負電源の二つの負電源を共通化した二次転写負電源及びＩＣＬ負電源Ｖ３を有している。
【００１４】
（電源Ｖ１、Ｖ２、Ｖ３）
二次転写正電源Ｖ１、ＩＣＬ正電源Ｖ２は、それぞれ後述するＡＳＩＣ  ＩＣ１からの制御信号に応じてトランスを駆動するトランス駆動回路、出力電圧を生成するトランス、トランスの出力電圧を整流する整流回路を内部に有している。二次転写正電源Ｖ１、ＩＣＬ正電源Ｖ２は、それぞれＡＳＩＣ  ＩＣ１からの制御信号（アナログ信号）に応じて、二次転写ローラＰ１、ＩＣＬブラシＰ２に正電圧を印加する。なお、二次転写正電源Ｖ１、ＩＣＬ正電源Ｖ２に並列に接続された抵抗Ｒ１、Ｒ１２はブリーダ抵抗である。ブリーダ抵抗Ｒ１、Ｒ１２は、後述する二次転写負電源及びＩＣＬ負電源Ｖ３がオンしたときに、それぞれ二次転写ローラＰ１、ＩＣＬブラシＰ２に流れる負荷電流の経路となる。
【００１５】
二次転写負電源及びＩＣＬ負電源Ｖ３（以下、「負電源Ｖ３」という）は、電圧共振回路、圧電トランスＴ１、整流回路ＲＥ１、ＲＥ２から構成されている。電圧共振回路は、電界効果トランジスタ（以下、「ＦＥＴ」という）Ｑ１、インダクタＬ１、コンデンサＣ２で構成されている。電圧共振回路は、ＡＳＩＣ  ＩＣ１のＤ／Ａポート３からＦＥＴ  Ｑ１のゲート端子に入力される制御信号（周波数設定信号）に基づく周波数で、圧電トランスＴ１を駆動し、所定の電圧を出力させる。圧電トランスＴ１（第１の電源部）は、電圧共振回路で生成された電圧を高電圧化する素子である。圧電トランスＴ１は、電圧共振回路の制御によりオン状態となり、交流電圧を生成する。圧電トランスＴ１の出力端は、整流回路ＲＥ１、ＲＥ２の入力端に接続されている。圧電トランスＴ１により生成された交流電圧は、整流回路ＲＥ１（第１の整流部）により負極性の直流電圧に整流されて二次転写ローラＰ１へ供給され、整流回路ＲＥ２（第２の整流部）により負極性の直流電圧に整流されてＩＣＬブラシＰ２へ供給される。整流回路ＲＥ１はダイオードＤ１、Ｄ２、コンデンサＣ３から構成され、整流回路ＲＥ２はダイオードＤ４、Ｄ５、コンデンサＣ７から構成され、それぞれ圧電トランスＴ１から出力される交流電圧を整流し、負極性の直流電圧を出力する。なお、整流回路ＲＥ１に並列に接続された抵抗Ｒ２、及び、整流回路ＲＥ２に並列に接続された抵抗Ｒ１３、Ｒ１４はブリーダ抵抗である。ブリーダ抵抗Ｒ２は二次転写正電源Ｖ１がオンしたときに二次転写ローラＰ１に流れる負荷電流の経路となり、ブリーダ抵抗Ｒ１３、Ｒ１４はＩＣＬ正電源Ｖ２がオンしたときにＩＣＬブラシＰ２に流れる負荷電流の経路となる。
【００１６】
（ＡＳＩＣ）
ＩＣ１は、後述する電流検知回路ＩＳ１、ＩＳ２により検知された、二次転写ローラＰ１やＩＣＬブラシＰ２を流れる負荷電流値に基づいて、二次転写正電源Ｖ１、ＩＣＬ正電源Ｖ２及び負電源Ｖ３の出力を制御するＡＳＩＣ（特定用途向け集積回路）である。制御部であるＡＳＩＣ  ＩＣ１は、Ｄ／Ａポート１、２、３から、それぞれ制御信号（アナログ信号）を出力して二次転写正電源Ｖ１、ＩＣＬ正電源Ｖ２、負電源Ｖ３の出力電圧を制御し、二次転写ローラＰ１、ＩＣＬブラシＰ２に正電圧、負電圧を供給させる。
【００１７】
二次転写正電源Ｖ１から二次転写ローラＰ１へ供給される正電圧は、第２の電圧検知部である抵抗Ｒ３、Ｒ４で分圧されて、ＡＳＩＣ  ＩＣ１のＡ／Ｄポート１に入力される。ＡＳＩＣ  ＩＣ１は、Ａ／Ｄポート１に入力された電圧に基づいて、二次転写正電源Ｖ１の定電圧制御を行う。なお、負電源Ｖ３がオンしたときに、ＡＳＩＣ  ＩＣ１のＡ／Ｄポート１に負電圧が入力しないように、Ａ／Ｄポート１への入力電圧は、ダイオードＤ３を介して、電圧３．３Ｖを抵抗Ｒ５、Ｒ６で分圧した電圧でプルアップされているため、正電位の電圧である。また、ＩＣＬ正電源Ｖ２からＩＣＬブラシＰ２へ供給される正電圧は、第３の電圧検知部である抵抗Ｒ１５、Ｒ１６で分圧されて、ＡＳＩＣ  ＩＣ１のＡ／Ｄポート３に入力される。ＡＳＩＣ  ＩＣ１は、Ａ／Ｄポート３に入力された電圧に基づいて、ＩＣＬ正電源Ｖ２の定電圧制御を行う。なお、負電源Ｖ３がオンしたときにＡＳＩＣ  ＩＣ１のＡ／Ｄポート３に負電圧が入力されないよう、Ａ／Ｄポート３への入力電圧は、ダイオードＤ６を介して電圧３．３Ｖを抵抗Ｒ１７、Ｒ１８で分圧した電圧でプルアップされているため、正電位の電圧である。また、負電源Ｖ３の出力電圧であるダイオードＤ５のアノード電圧は、第１の電圧検知部である抵抗Ｒ１３、Ｒ１４で分圧されて、ＡＳＩＣ  ＩＣ１のＡ／Ｄポート２に入力される。ＡＳＩＣ  ＩＣ１は、Ａ／Ｄポート２に入力された電圧に基づいて、負電源Ｖ３の定電圧制御を行う。なお、図７では、抵抗Ｒ１３、Ｒ１４は、整流回路ＲＥ２に設けられているが、整流回路ＲＥ１に設けてもよい。その場合、ブリーダ抵抗Ｒ２は、整流回路ＲＥ２に設けられる。
【００１８】
（電流検知回路）
電流検知回路ＩＳ１、ＩＳ２は、それぞれ二次転写ローラＰ１、ＩＣＬブラシＰ２に流れる負荷電流を検知し、検知した負荷電流値をＡＳＩＣ  ＩＣ１のＡ／Ｄポート４、５へ出力する。電流検知回路ＩＳ１（第１の電流検知部）は、オペアンプＩＣ２、コンデンサＣ４、Ｃ５、Ｃ６、抵抗Ｒ７、Ｒ８、Ｒ１０、Ｒ１１、検知抵抗Ｒ９から構成されている。オペアンプＩＣ２の非反転入力端子（＋）には、電圧３．３Ｖを抵抗Ｒ７、Ｒ８で分圧した電圧が入力される。反転入力端子（−）は、非反転入力端子（＋）とイマジナリショートの関係にあるため、非反転入力端子（＋）とほぼ同電位の状態が保たれる。そのため、Ａ／Ｄポート４を介してＡＳＩＣ  ＩＣ１に入力される電圧は、オペアンプＩＣ２の反転入力端子（−）の電圧、すなわち非反転入力端子（＋）に入力される電圧から検知抵抗Ｒ９に流れた負荷電流の分だけ電圧降下した電圧値となる。同様に、電流検知回路ＩＳ２（第２の電流検知部）は、オペアンプＩＣ３、コンデンサＣ８、Ｃ９、Ｃ１０、抵抗Ｒ１９、Ｒ２０、Ｒ２２、Ｒ２３、検知抵抗Ｒ２１から構成されている。オペアンプＩＣ３の非反転入力端子（＋）には、電圧３．３Ｖを抵抗Ｒ１９、Ｒ２０で分圧した電圧が入力される。反転入力端子（−）は、非反転入力端子（＋）とイマジナリショートの関係にあるため、非反転入力端子（＋）とほぼ同電位の状態が保たれる。そのため、Ａ／Ｄポート５を介してＡＳＩＣ  ＩＣ１に入力される電圧は、オペアンプＩＣ３の反転入力端子（−）の電圧、すなわち非反転入力端子（＋）に入力される電圧から検知抵抗Ｒ２１に流れた負荷電流の分だけ電圧降下した電圧値となる。
【００１９】
（画像形成時の動作）
画像形成時には、感光ドラムＰ５上にトナー像が形成され、一次転写電源（不図示）から一次転写パッドＰ６に印加された転写電圧により、感光ドラムＰ５上のトナー像がＩＴＢ  Ｐ４（像担持体）に転写される。その後、ＡＳＩＣ  ＩＣ１からの制御により、二次転写正電源Ｖ１から二次転写ローラＰ１（転写部）に正極性の転写電圧が印加されると、ＩＴＢ  Ｐ４上（像担持体上）のトナー像が、ＩＴＢ  Ｐ４と二次転写ローラＰ１に狭持された記録材に転写される。なお、本実施例では、記録材に画像形成を行う画像形成部には、感光ドラムＰ５、一次転写パッドＰ６、二次転写ローラＰ１、ＩＣＬブラシＰ２、ＩＴＢ  Ｐ４が含まれるものとする。また、記録材に転写されず、ＩＴＢ  Ｐ４に残ったトナーは、ＡＳＩＣ  ＩＣ１からの制御により、ＩＣＬ正電源Ｖ２からＩＣＬブラシＰ２（クリーニング部）に正極性の電圧が印加されることにより、ＩＣＬブラシＰ２に一時的に回収される。このとき、二次転写ローラＰ１に流れる負荷電流である二次転写電流の電流値は、電流検知回路ＩＳ１によって検知することができる。二次転写電流は、二次転写正電源Ｖ１から二次転写ローラＰ１を経由して、ＩＴＢ  Ｐ４を回転させる駆動ローラＰ３のグランド（以下、「ＧＮＤ」という）に流れる。そして、二次転写電流は、オペアンプＩＣ２のＧＮＤからオペアンプＩＣ２、抵抗Ｒ１０、検知抵抗Ｒ９、ブリーダ抵抗Ｒ２を経由して、二次転写正電源Ｖ１に戻る。オペアンプＩＣ２の非反転入力端子（＋）には、電圧３．３Ｖを抵抗Ｒ７、Ｒ８で分圧した基準電圧が入力され、反転入力端子（−）とのイマジナリショートが成立するように制御される。そのため、電流検知回路ＩＳ１は、二次転写ローラＰ１に流れた二次転写電流の電流値を検知抵抗Ｒ９における電位差として検知し、検知電圧として出力する。そして、電流検知回路ＩＳ１によって出力される検知電圧は、Ａ／Ｄポート４を介して、ＡＳＩＣ  ＩＣ１に入力される。
【００２０】
同様に、ＩＣＬブラシＰ２に流れる負荷電流であるＩＣＬ電流の電流値は、電流検知回路ＩＳ２によって検知することができる。ＩＣＬ電流は、ＩＣＬ正電源Ｖ２からＩＣＬブラシＰ２を経由して、駆動ローラＰ３のＧＮＤに流れ、オペアンプＩＣ３のＧＮＤからオペアンプＩＣ３、抵抗Ｒ２２、検知抵抗Ｒ２１、ブリーダ抵抗Ｒ１４、Ｒ１３を経由して、ＩＣＬ正電源Ｖ２に戻る。オペアンプＩＣ３の非反転入力端子（＋）には、電圧３．３Ｖを抵抗Ｒ１９、Ｒ２０で分圧した基準電圧が入力され、反転入力端子（−）とのイマジナリショートが成立するように制御される。そのため、電流検知回路ＩＳ２は、ＩＣＬブラシＰ２に流れたＩＣＬ電流の電流値を検知抵抗Ｒ２１における電位差として検知し、検知電圧として出力する。そして、電流検知回路ＩＳ２によって出力される検知電圧は、Ａ／Ｄポート５を介して、ＡＳＩＣ  ＩＣ１に入力される。
【００２１】
（クリーニングプロセス時の動作）
一方、クリーニングプロセス時には、ＡＳＩＣ  ＩＣ１は負電源Ｖ３をオンする。そして、負電源Ｖ３から供給される負電圧は、ブリーダ抵抗Ｒ１を経由して二次転写ローラＰ１に供給されるとともに、抵抗Ｒ１２を経由してＩＣＬブラシＰ２にも供給される。二次転写ローラＰ１に印加される負電圧により、二次転写ローラＰ１に付着したトナーはＩＴＢ  Ｐ４に転写され、二次転写ローラＰ１から除去される。また、ＩＣＬブラシＰ２に一時的に回収されたトナーは、ＩＣＬブラシＰ２に印加される負電圧によりＩＴＢ  Ｐ４に吐き出される（転写される）。その後、ＩＴＢ  Ｐ４に転写されたトナーは、一次転写パッドＰ６に印加された転写電圧により感光ドラムＰ５に転写され、感光ドラムＰ５を有し、画像形成を行うカートリッジ（不図示）内の廃トナー容器に回収される。
【００２２】
図７に示す太い実線の矢印は、二次転写ローラＰ１に負電圧を印加したときに、二次転写ローラＰ１に流れる電流（以下、「二次転写負電流」という）の経路を示している。このとき、二次転写負電流の一部は、経路１を通って、二次転写電流の電流検知回路ＩＳ１の検知抵抗Ｒ９に流れる。また、二次転写負電流の一部は、経路２を通って、ＩＣＬ電流の電流検知回路ＩＳ２の検知抵抗Ｒ２１にも流れる。そのため、電流検知回路ＩＳ１、電流検知回路ＩＳ２は、それぞれ二次転写ローラＰ１、ＩＣＬブラシＰ２を流れる負荷電流を正しく検知することができず、負電源の共通化を行った電源装置では、電源部の電圧及び電流を所望の値に設定する制御ができない。
【実施例１】
【００２３】
［二次転写電源及びＩＴＢクリーニング電源の概要］
図１は、実施例１のＩＴＢ  Ｐ４を有する画像形成装置が備える電源装置の、二次転写電源及びＩＣＬ電源を模式的に示した回路図である。なお、図１では、上述した図７と同じ構成には同じ符号を付し、説明を省略する。本実施例の図１が従来例の図７と異なる点は、電流検知回路ＩＳ１、ＩＳ２に接続されている整流回路ＲＥ１、ＲＥ２の圧電トランスＴ１からの出力電圧が入力される入力端との間に、分離部であるコンデンサＣ１を直列に配置している点である。これにより、負電源Ｖ３がオンしたときに、電流検知回路ＩＳ１に流れる電流経路１と、電流検知回路ＩＳ２に流れる電流経路２とは、コンデンサＣ１により分離される。これにより、電流検知回路ＩＳ１、ＩＳ２は、それぞれ二次転写ローラＰ１、ＩＣＬブラシＰ２を流れる負荷電流の正しい電流検知結果を取得することができる。なお、圧電トランスＴ１からは交流電圧が出力されており、コンデンサＣ１の整流回路ＲＥ２側の端子には、ＡＣカップリングされた交流電圧が出力される。そのため、コンデンサＣ１を配置したことによる負電源Ｖ３の回路動作への影響はない。
【００２４】
［二次転写負電流と電流検知回路の検知電圧］
図２は、本実施例の図１、及び従来例の図７の回路図の負電源Ｖ３をオンし、二次転写ローラＰ１に流れる電流を変化させたときの二次転写負電流と電流検知回路ＩＳ１の検知電圧の一例を示した図である。図２の横軸は、負荷電流の電流値（単位：μＡ）を示し、縦軸は、ＡＳＩＣ  ＩＣ１のＡ／Ｄポート４に入力される電流検知回路ＩＳ１の出力電圧である検知電圧（単位：Ｖ）を示す。また、図２に示すグラフにおいて、丸印で示すプロットは、本実施例の図１の電流検知回路ＩＳ１の検知結果であり、四角で示すプロットは、従来例の図７の電流検知回路ＩＳ１の検知結果である。従来例の回路構成では、上述したように、二次転写ローラＰ１に流れる二次転写負電流は、電流検知回路ＩＳ１だけでなく、電流検知回路ＩＳ２にも流れる。そのため、二次転写負電流の値を変化させても、電流検知回路ＩＳ１の検知電圧がほとんど変化せず、正しい負荷電流の検知結果を得られない。一方、本実施例の回路構成では、コンデンサＣ１を設けることにより、二次転写ローラＰ１に流れる二次転写負電流は電流検知回路ＩＳ１だけに流れ、コンデンサＣ１により電流が遮断されるため、電流検知回路ＩＳ２に流れ込むことはない。そのため、二次転写負電流の値を変化させると、電流検知回路ＩＳ２から出力される検知電圧も線形に変化し、正しい検知結果が得られていることがわかる。
【００２５】
また、図１の回路構成では、負電源Ｖ３をオンし、ＩＣＬブラシＰ２に流れる電流を検知する電流検知回路ＩＳ２での検知電圧についても、同様に正しい検知結果が得られる。すなわち、本実施例の回路構成では、コンデンサＣ１を設けることにより、ＩＣＬブラシＰ２に流れる負電流であるＩＣＬ負電流は電流検知回路ＩＳ２だけに流れ、コンデンサＣ１により電流が遮断されるため、電流検知回路ＩＳ１に流れ込むことはない。そのため、ＩＣＬ負電流の値を変化させると、電流検知回路ＩＳ２から出力される検知電圧も、図２のグラフと同様に線形に変化し、正しい検知結果を得ることができる。
【００２６】
［正負両極性の電源からの電圧が重畳したときの電流経路］
図３は、図１の回路において、ＩＣＬ正電源Ｖ２と負電源Ｖ３がオン状態で、二次転写正電源Ｖ１はオフ状態のときの電流経路を示す図である。図３に示す状態では、二次転写ローラＰ１には負電源Ｖ３からの負電圧が印加された状態であり、ＩＣＬブラシＰ２には、ＩＣＬ正電源Ｖ２からの正電圧が印加された状態となっている。太い実線の矢印は、二次転写ローラＰ１に負電圧を印加したときに、二次転写ローラＰ１に流れる二次転写負電流の電流経路を示している。一方、太い破線の矢印は、ＩＣＬブラシＰ２にＩＣＬ正電源Ｖ２から正電圧を印加したときに、ＩＣＬブラシＰ２に流れるＩＣＬ正電流の電流経路を示している。このように、正負両極性の電源からの電圧が重畳した状態で同じ負荷に印加される場合がある。
【００２７】
上述したように、図７に示す従来の回路構成の場合には、正負両極性の電源からの電圧が重畳する場合には、図７に示した経路２のような電流経路が生じるために、電流検知回路ＩＳ２によるＩＣＬ電流の検知結果にも影響を与えていた。一方、本実施例の場合には、図３に示すように、二次転写負電流は、次のようなルートで流れる。すなわち、負電源Ｖ３から二次転写ローラＰ１に流れる二次転写負電流は、検知抵抗Ｒ９、抵抗Ｒ１０、オペアンプＩＣ２を通ってオペアンプＩＣ２のＧＮＤに流れ、駆動ローラＰ３のＧＮＤからブリーダ抵抗Ｒ１を経由して、負電源Ｖ３に戻る。また、ＩＣＬ正電源Ｖ２からＩＣＬブラシＰ２に流れたＩＣＬ電流は、駆動ローラＰ３のＧＮＤに流れ、オペアンプＩＣ３のＧＮＤからオペアンプＩＣ３、抵抗Ｒ２２、検知抵抗Ｒ２１、ブリーダ抵抗Ｒ１４、Ｒ１３を経由して、ＩＣＬ正電源Ｖ２に戻る。このとき、ＩＣＬ正電源Ｖ２の整流回路ＲＥ２側の端子は、圧電トランスＴ１の交流電圧を整流平滑した負電圧となるため、ＩＣＬ正電源Ｖ２は、ＩＣＬブラシＰ２に印加する正電圧と、圧電トランスＴ１の負電圧を合算した電圧を出力した状態となる。ＩＣＬ正電源Ｖ２は、抵抗器Ｒ１５、Ｒ１６で分圧した電圧をＡＳＩＣ  ＩＣ１のＡ／Ｄポート３に入力して、フィードバック制御を行っている。そのため、ＡＳＩＣ  ＩＣ１は、ＩＣＬブラシＰ２に印加すべき正電圧が出力されるように、ＩＣＬ正電源Ｖ２の制御を行う。このように、本実施例では、正負両極性の電源からの電圧が重畳する場合でも、コンデンサＣ１によって電流経路が遮断されるため、電流検知回路ＩＳ１、ＩＳ２において、二次転写ローラＰ１、ＩＣＬブラシＰ２に流れる負荷電流を正しく検知することができる。
【００２８】
［圧電トランスの負荷特性］
図４は、負電源Ｖ３に用いている圧電トランスＴ１の負荷特性を模式的に示した図である。図４の横軸は、圧電トランスＴ１が出力電圧を供給する負荷のインピーダンス（単位：ＭΩ）を示し、縦軸は、圧電トランスＴ１が印加可能な最大電圧であるピーク電圧（単位：Ｖ）を示している。なお、横軸の「初期」、「末期」は、圧電トランスＴ１が出力電圧を供給する負荷の寿命を示しており、「初期」は負荷の使用を開始した時期を指し、「末期」は、負荷の使用可能期間の末期を指している。図４に示すように、負荷のインピーダンスが大きくなるにつれ、圧電トランスＴ１が負荷に印加可能なピーク電圧の絶対値は、上昇する。
【００２９】
一般に、電子写真方式の画像形成装置に用いられる二次転写ローラＰ１やＩＣＬブラシＰ２は、電流が流れることにより抵抗が変化する通電劣化により、インピーダンスが上昇する。通常、製品の仕様上変化し得る負荷インピーダンスの範囲において、最も負荷インピーダンスの小さい場合においても、所定の電圧が供給できるよう、印加可能な最大電圧が設計される。すなわち、図４における負荷インピーダンスが小さいときのピーク電圧Ｖｓに一定のマージンを考慮した電圧が、負荷への印加可能な最大電圧として設計される。図１に示す本実施例の回路構成は、負電源Ｖ３がオンする場合にも、電流検知回路ＩＳ１、ＩＳ２により負荷電流を検知することが可能になる。そのため、電流検知回路ＩＳ１、ＩＳ２での電流検知結果、及び負電源Ｖ３のＡ／Ｄポート２を介して入力される印加電圧値に基づいて、ＡＳＩＣ  ＩＣ１は、負電源Ｖ３の出力電圧が供給される負荷の合成インピーダンスを算出することができる。ここでの合成インピーダンスは、二次転写ローラＰ１、ＩＣＬブラシＰ２の他に、抵抗Ｒ２等の回路内のインピーダンスも含めたインピーダンスである。
【００３０】
図４に示すように、圧電トランスＴ１は、負荷インピーダンスが大きい程、出力可能なピーク電圧の絶対値が上昇する。そこで、圧電トランスＴ１が有するこの特性を利用し、ＡＳＩＣ  ＩＣ１は、検知した負荷インピーダンスの値に応じて、印加可能な最大電圧の絶対値を引き上げる。これにより、通電劣化に伴い負荷インピーダンスの上昇した二次転写ローラＰ１やＩＣＬブラシＰ２に対して、図４におけるピーク電圧Ｖｅに一定のマージンを考慮した電圧まで、圧電トランスＴ１が印加可能な最大電圧を引き上げることが可能になる。一般に、より高電圧を負荷に印加する必要があるのは、通電劣化が進み、負荷インピーダンスの上昇した二次転写ローラＰ１やＩＣＬブラシＰ２に対して、所定の電流値の電流を流すためである。その結果、負荷インピーダンスに応じた印加可能な最大電圧を引き上げることにより、装置の仕様を満足することができる。これにより、二次転写ローラＰ１やＩＣＬブラシＰ２等のプロセス部材の通電劣化に伴って必要となる高電圧電源装置の高電圧出力化に、コストアップや回路面積の増大を伴うことなく、対応することができる。
【００３１】
以上説明したように、負荷に同じ極性の出力電圧を供給する複数の電源の共通化を行った電源装置をオンした場合にも、負荷電流を正しく検知することができる。また、正負両極性の電源の出力電圧が重畳する場合にも、同様の効果を奏することができる。また、上述したように、コストアップや回路面積の増大を伴うことなく、高電圧電源装置を高電圧出力化させることも可能となる。なお、本実施例では、図１に示すように負電源Ｖ３は圧電トランスＴ１で構成しているが、圧電トランスの代わりに、例えば巻線トランスや多段倍電圧整流回路で構成した場合にも、本実施例と同様の効果を奏することができる。
【００３２】
以上説明したように、本実施例によれば、電源部を共通化した場合にも、負荷電流を正しく検知することができる。
【実施例２】
【００３３】
実施例１では、ＡＳＩＣ  ＩＣ１は、二次転写正電源Ｖ１、ＩＣＬ正電源Ｖ２、及び負電源Ｖ３については、定電圧制御を行っている。実施例２では、負電源Ｖ３において、二次転写負電圧の定電圧制御とＩＣＬ負電圧の定電流制御とをともに行う回路構成について説明する。
【００３４】
［二次転写電源及びＩＴＢクリーニング電源の概要］
図５は、実施例２のＩＴＢ  Ｐ４を有する画像形成装置が備える電源装置の、二次転写電源及びＩＣＬ電源を模式的に示した回路図である。図５では、上述した実施例１の図１と同じ構成には同じ符号を付し、説明を省略する。本実施例の図５が実施例１の図１と異なる点は、二次転写負電圧をツェナーダイオードＺＤ１（定電圧供給部）により、所定の一定電圧としている点である。なお、本実施例においても、実施例１の図１と同様に、電流検知回路ＩＳ１、ＩＳ２がそれぞれ接続されている整流回路ＲＥ１、ＲＥ２の入力端と入力端との間にコンデンサＣ１が直列に配置されている点は同じである。
【００３５】
図５では、実施例１の図１の回路図に、ツェナーダイオードＺＤ１とダイオードＤ７が直列に接続された回路が追加されている。ダイオードＤ７は、カソード端子が二次転写電源から二次転写ローラＰ１への電流経路に接続され、アノード端子がツェナーダイオードＺＤ１のアノード端子に接続され、ツェナーダイオードＺＤ１のカソード端子はＧＮＤに接続されている。なお、ダイオードＤ７は、二次転写正電源Ｖ１がオンしたときに、ツェナーダイオードＺＤ１に電流が流れるのを防止するために配置されている。
【００３６】
実施例１の図１の回路構成において、二次転写ローラＰ１の負荷インピーダンスをＺＰ１とすると、等価回路的には、負荷インピーダンスＺＰ１は、抵抗Ｒ３、Ｒ４が直列に接続された回路と並列に接続された関係となる。ここで、負荷インピーダンスＺＰ１と、直列に接続された抵抗Ｒ３、Ｒ４との合成インピーダンスを、（ＺＰ１／／（Ｒ３＋Ｒ４））と表すことにする。そして、ダイオードＤ２のアノード電圧をＶＤ２、抵抗Ｒ１の抵抗値をＲ１とすると、二次転写ローラＰ１に印加される電圧ＶＰ１は、次の（式１）のように表すことができる。
ＶＰ１＝ＶＤ２×（ＺＰ１／／（Ｒ３＋Ｒ４））／（Ｒ１＋（ＺＰ１／／（Ｒ３＋Ｒ４）））・・・（式１）
【００３７】
（式１）より、二次転写ローラＰ１に印加される電圧ＶＰ１は、二次転写ローラＰ１の負荷インピーダンスＺＰ１に応じて変化することがわかる。一般に、二次転写ローラＰ１に使用されているイオン導電系の導電材は、環境による負荷インピーダンスの変化量が大きいため、二次転写ローラＰ１の負荷インピーダンスＺＰ１も大きく変化することになる。その結果、二次転写ローラＰ１に印加される電圧ＶＰ１は、環境によって大きく変化することになる。そこで、本実施例の図５に示すように、ツェナーダイオードＺＤ１を配置することにより、環境による二次転写ローラＰ１の負荷インピーダンスＺＰ１の変化によらず、所定の一定電圧を二次転写ローラＰ１に印加することが可能となる。
【００３８】
また、ツェナーダイオードＺＤ１を配置することにより、二次転写ローラＰ１については定電圧制御を行うため、一方のＩＣＬブラシＰ２については、定電流制御を行うことが可能となる。例えば、ＩＣＬブラシＰ２に負電源Ｖ３から負電圧を印加し、ＩＣＬブラシＰ２に一時的に回収されたトナーをＩＴＢ  Ｐ４に吐き出す場合、通電劣化によるＩＣＬブラシＰ２の負荷インピーダンスが上昇していると、所定の電流値を確保できない場合がある。その結果、十分な転写残トナー吐き出しを行うことができない場合がある。そこで、本実施例の回路構成により、ＩＣＬ負電源の定電流制御を行い、ＩＣＬブラシＰ２に流れる電流を電流検知回路ＩＳ２により検知し、負電源Ｖ３の出力電圧を調整することで、ＡＳＩＣ  ＩＣ１は所望のＩＣＬ負電流が流れるよう制御を行うことができる。その結果、ＡＳＩＣ  ＩＣ１は、ＩＣＬブラシＰ２の転写残トナーの吐き出しを行う場合に、最適な制御により転写残トナーの吐き出しを十分に行うことができる。
【００３９】
以上説明したように、負荷に同じ極性の出力電圧を供給する複数の電源の共通化を行った電源装置において、定電流制御を行うことができるとともに、他の負荷に対して定電圧制御を行うことができる。なお、上述した実施例では、感光ドラムＰ５上のトナー像をＩＴＢ  Ｐ４に転写する一次転写パッドＰ６と、ＩＴＢ  Ｐ４上のトナー像を記録材に転写する二次転写ローラＰ１、ＩＣＬブラシＰ２を備える画像形成装置の例について説明した。画像形成装置の中には、二次転写方式だけでなく、搬送ベルトで記録材を搬送し、搬送される記録材に感光ドラム上のトナー像を転写する方式の画像形成装置もある。このような搬送ベルト方式の画像形成装置では、記録材への色ずれを検知するため、感光ドラム上のトナー像を直接、搬送ベルトに転写し、色ずれ検知を行うことがある。その際、搬送ベルトに転写されたトナーをクリーニングするため、クリーニングブラシへの高電圧の印加が行われ、上述した電源装置を適用することができる。
【００４０】
以上説明したように、本実施例によれば、電源部を共通化した場合にも、負荷電流を正しく検知することができる。
【実施例３】
【００４１】
実施例１、２で説明した二次転写電源及び中間転写ベルトのクリーニング電源と、二次転写ローラ、ＩＣＬブラシに流れる負荷電流を検知する電流検知回路と、を有する電源装置は、画像形成装置の電源装置として適用することができる。以下に、実施例１、２の電源装置が適用される画像形成装置の構成を説明する。
【００４２】
［画像形成装置の構成］
画像形成装置の一例として、レーザビームプリンタを例に挙げて説明する。図６に電子写真方式のプリンタの一例であるレーザビームプリンタ１２８（以下、プリンタ１２８という）の概略構成を示す。プリンタ１２８は、４つの感光ドラム１０１、１０２、１０３、１０４を備え、中間転写ベルト１２３を用いて４色のトナー像を一度に形成し重畳することによってフルカラー画像を得る、インライン方式のフルカラーレーザビームプリンタである。感光ドラム１０１〜１０４の周囲に、帯電ローラ１１１〜１１４、現像装置である現像ローラ１０５〜１０８を配置し、これらをユニット化したプロセスカートリッジ１１５〜１１８がプリンタ１２８本体から着脱可能な構成となっている。
【００４３】
次に、プロセスカートリッジ１１５について詳しく説明する。他の３つのプロセスカートリッジ１１６〜１１８についても同一の構成となっているため、説明は省略する。プロセスカートリッジ１１５は、回動自在に支持された感光ドラム１０１を備え、感光ドラム１０１は図中矢印方向（時計回り方向）に、駆動手段であるドラムモータ（不図示）によって回転駆動される。感光ドラム１０１の上方には帯電ローラ１１１が配置され、帯電ローラ１１１は、押圧手段（不図示）によって感光ドラム１０１の中心方向に向けて加圧され、感光ドラム１０１の回転に伴って従動回転する。また、帯電ローラ１１１は、帯電用高圧電源（不図示）によって帯電電圧が印加されているため、感光ドラム１０１の表面は均一に接触帯電される。
【００４４】
帯電ローラ１１１により帯電された感光ドラム１０１の表面を、レーザスキャナ１０９からのレーザビームＬ１が照射される。レーザスキャナ１０９は、画像情報に基づいてレーザビームＬ１をオン／オフしながら走査して感光ドラム１０１上を露光し、感光ドラム１０１上に画像情報に応じた静電潜像を形成する。なお、レーザスキャナ１０９はイエローとマゼンタ用の露光を行う構成を有し、レーザスキャナ１１０はシアンとブラック用の露光を行う構成を有している。
【００４５】
感光ドラム１０１のレーザビームＬ１の照射位置の回転方向下流側には、現像ローラ１０５が回転自在に配置され、現像剤容器（不図示）からトナーが供給される。現像ローラ１０５には、現像用高圧電源（不図示）から現像電圧を印加することにより、感光ドラム１０１表面の露光部分である静電潜像にトナーが付着して、静電潜像がトナー像として現像される。
【００４６】
感光ドラム１０１の回転方向の下流には、中間転写ベルト１２３を挟んで、接地された芯金と導電層から構成される一次転写パッド１１９が配設されている。一次転写パッド１１９は、感光ドラム１０１の表面に圧接され、感光ドラム１０１と一次転写パッド１１９との間に転写ニップ部を形成する。この転写ニップ部には、中間転写ベルト１２３が挟まれている。そのため、感光ドラム１０１表面の電位と、一次転写電源（不図示）から一次転写パッド１１９に印加された転写電圧との電位差によって、帯電したトナー像は感光ドラム１０１表面から中間転写ベルト１２３の表面に転写される。トナー像が中間転写ベルト１２３に転写された後の感光ドラム１０１に残ったトナーは、クリーナー（不図示）によって除去される。
【００４７】
中間転写ベルト１２３は、二次転写ローラ１２６の対向ローラ１３６、テンションローラ１２５等を含む３つのローラによって張架され、図中矢印方向（反時計回り方向）に回転駆動される。感光ドラム１０１〜１０４上に形成された各色のトナー像は、順次、中間転写ベルト１２３上に転写された後、中間転写ベルト１２３の回転とともに、二次転写ローラ１２６と対向ローラ１３６によって形成される二次転写部まで搬送される。一方、給紙カセット１４０に積載された記録媒体Ｐは、給紙ローラ１４４により給紙カセット１４０から給紙され、搬送ローラ１３１により二次転写部に向けて搬送され、レジストレーションセンサ１３２で用紙の先端を検知されると、停止する。そして、レジストレーションセンサ１３２で停止待機していた記録媒体Ｐは、中間転写ベルト１２３上のトナー像と二次転写部で一致するタイミングで再搬送される。記録媒体Ｐを一時停止状態から再度駆動開始することを再給紙と呼び、この再給紙が露光開始から適切なタイミングで実行されることにより、中間転写ベルト１２３上のトナー像が、二次転写部で記録媒体Ｐ上に位置ずれすることなく転写される。このとき、二次転写ローラ１２６と対向ローラ１３６間には、後述する電源１６１より転写電圧が印加される。なお、記録媒体Ｐに転写されずに、中間転写ベルト１２３上に残留したトナーは、クリーニング部１８０により回収される。
【００４８】
トナー像が転写された記録媒体Ｐは、定着装置１２７に搬送される。定着装置１２７は、回転自在に配設された定着ローラ１５７と、定着ローラ１５７に圧接しながら回転する加圧ローラ１５６を有している。そして、定着ローラ１５７の内部にはヒータ（不図示）が配設されており、ヒータへの供給電力を制御することで定着ローラ１５７の表面の温度調節を行っている。記録媒体Ｐが定着装置１２７に搬送されてくると、定着ローラ１５７と加圧ローラ１５６は一定速度で回転し、記録媒体Ｐが定着ローラ１５７と加圧ローラ１５６の間を通過する際に、記録媒体Ｐは表裏両面から一定の圧力と温度で加圧、加熱される。これにより、記録媒体Ｐの表面上の未定着トナー像は、溶融して記録媒体Ｐ上に定着し、フルカラー画像が形成される。フルカラー画像が定着された記録媒体Ｐは、定着装置１２７の出口に配置された定着排紙センサ１３０を通過した後、プリンタ１２８上部の排紙トレイ１２９上に排出される。
【００４９】
プリンタ１２８は、画像形成部であるプロセスカートリッジ１１５〜１１８による画像形成動作や、記録媒体Ｐの搬送動作を制御するコントローラ１７０を備えている。また、実施例１、２のＡＳＩＣ  ＩＣ１に相当するＡＳＩＣ１７５は、コントローラ１７０からの指示に基づいて、電源装置１６０の制御を行う。電源装置１６０は、プリンタ１２８内の各装置に供給する各種電圧を生成する電源１６１、１６２、１６３等を有している。電源１６１は、実施例１、２の二次転写ローラＰ１に相当する二次転写ローラ１２６に正極性の直流電圧を供給する二次転写正電源であり、実施例１、２の二次転写正電源Ｖ１に相当する。電源１６２は、実施例１、２のＩＣＬブラシＰ２に相当するクリーニング部１８０に正極性の直流電圧を供給する中間転写ベルトクリーニング電源であり、実施例１、２のＩＣＬ正電源Ｖ２に相当する。また、電源１６３は、負極性の直流電圧を二次転写ローラ１２６、及びクリーニング部１８０に供給する負電源であり、実施例１、２の負電源Ｖ３に相当する。更に、電源装置１６０は、実施例１、２の電流検知回路ＩＳ１、ＩＳ２に相当する、二次転写ローラ１２６に流れる電流及びクリーニング部１８０に流れる電流を検知する電流検知回路を有している。
【００５０】
画像形成時には、ＡＳＩＣ１７５からの制御により、電源１６１から二次転写ローラ１２６に正極性の転写電圧が印加される。すると、実施例１、２のＩＴＢ  Ｐ４に相当する中間転写ベルト１２３上のトナー像が、中間転写ベルト１２３と二次転写ローラ１２６に狭持された記録媒体Ｐに転写される。また、記録媒体Ｐに転写されず、中間転写ベルト１２３に残ったトナーは、ＡＳＩＣ１７５からの制御により、電源１６２からクリーニング部１８０に正極性の電圧が印加されることにより、クリーニング部１８０に一時的に回収される。なお、対向ローラ１３６は、実施例１、２の駆動ローラＰ３に相当する。
【００５１】
一方、クリーニングプロセス時には、ＡＳＩＣ１７５は電源１６３をオンすると、電源１６３から供給される負電圧は、二次転写ローラ１２６、及びクリーニング部１８０にも供給される。二次転写ローラ１２６に印加される負電圧により、二次転写ローラ１２６に付着したトナーは中間転写ベルト１２３に転写され、二次転写ローラ１２６から除去される。また、クリーニング部１８０に回収されたトナーは、クリーニング部１８０に印加される負電圧により中間転写ベルト１２３に吐き出される（移動する）。その後、中間転写ベルト１２３に転写されたトナーは、実施例１、２の一次転写パッドＰ６に相当する一次転写パッド１１９に印加された転写電圧により、実施例１、２の感光ドラムＰ５に相当する感光ドラム１０１に転写される（移動する）。そして、感光ドラム１０１に転写されたトナーは、感光ドラム１０１が有するクリーナー（不図示）によって除去される。また、電源装置１６０の電流検知回路は、正負両極性の電源からの電圧が重畳する場合でも、コンデンサＣ１によって電流経路が遮断されるため、二次転写ローラ１２６、クリーニング部１８０に流れる負荷電流を正しく検知することができる。
【００５２】
以上説明したように、本実施例によれば、電源部を共通化した場合にも、負荷電流を正しく検知することができる。
【符号の説明】
【００５３】
Ｃ１              コンデンサ
ＩＳ１、ＩＳ２    電流検知回路
Ｐ１              二次転写ローラ
Ｐ２              ＩＣＬブラシ
ＲＥ１、ＲＥ２    整流回路
Ｔ１              圧電トランス
Ｖ１              二次転写正電源
Ｖ２              ＩＣＬ正電源
Ｖ３              二次転写負電源及びＩＣＬ負電源
【図１】
2020048364.tif 000003
【図２】
2020048364.tif 000004
【図３】
2020048364.tif 000005
【図４】
2020048364.tif 000006
【図５】
2020048364.tif 000007
【図６】
2020048364.tif 000008
【図７】
2020048364.tif 000009